(57)【要約】【課題】  小型且つ軽量で、圧迫感を感じにくく、設置位置の自由度が高く、設置も容易な間接照明具と、当該間接照明具の施工方法及び取付け構造を提供する。【解決手段】  本発明の間接照明具は、梁に設置する支持台と薄型の光源部を備えた照明装置を備えたものである。支持台は固定部と載置部を備えている。目隠し部を備えたものとしてもよい。支持台をボード下地に取り付けたときの支持台の突出寸法は、梁の上端から載置部までの距離と、載置部から梁の下端までの距離の双方又はいずれか一方よりも短くなるようにしてある。本発明の間接照明具の施工方法は、ボード下地又は取り付け座に固定部を固定し、固定部の外側に室内壁を設置する方法である。本発明の間接照明具の取付け構造は、ボード下地又は取り付け座に固定部が固定され、固定部の外側に室内壁が設置された構造である。【選択図】図１
2020115491.tif 000002
【特許請求の範囲】
【請求項１】
梁に設置して使用する折上げ天井用の間接照明具であって、
梁に設置する支持台と、天井面又は／及び梁を照明する薄型の光源部を備えた照明装置を備え、
前記支持台は、躯体の外側に配置されたボード下地に固定される固定部と、前記照明装置の少なくとも光源部を載置可能な載置部を備え、
前記光源部は、前記天井面又は／及び梁を照明できるように前記載置部に載置された、
ことを特徴とする間接照明具。
【請求項２】
請求項１記載の間接照明具において、
支持台は、載置部の外側に当該載置部に載置された光源部の少なくとも外側の端部を被覆可能な目隠し部を備えた、
ことを特徴とする間接照明具。
【請求項３】
請求項１又は請求項２記載の間接照明具において、
支持台をボード下地に取り付けたときの当該支持台の水平方向の突出寸法が、前記梁の上端から支持台の載置部までの距離と、載置部から当該梁の下端までの距離の双方又はいずれか一方よりも短い、
ことを特徴とする間接照明具。
【請求項４】
請求項１から請求項３のいずれか１項に記載の間接照明具において、
光源部が二以上のＬＥＤチップを備えたテープＬＥＤである、
ことを特徴とする間接照明具。
【請求項５】
請求項１から請求項４のいずれか１項に記載の間接照明具において、
載置部に光源部に接続された電源供給手段を収容可能な収容部が設けられた、
ことを特徴とする間接照明具。
【請求項６】
請求項１から請求項５のいずれか１項に記載の間接照明具において、
載置部に、薄型の光源部を載置する凸状の載置台又は凹陥状の載置溝が設けられた、
ことを特徴とする間接照明具。
【請求項７】
請求項１から請求項６のいずれか１項に記載の間接照明具の施工方法であって、
梁の躯体の外側に設けられたボード下地に前記間接照明具の固定部を固定し、又は、梁の躯体の外側の任意位置に取り付け座を設置して、当該取り付け座に前記間接照明具の固定部を固定し、
前記固定部の外側に室内壁を設置する、
ことを特徴とする間接照明具の施工方法。
【請求項８】
請求項１から請求項６のいずれか１項に記載の間接照明具の取付け構造であって、
梁の躯体の外側に設けられたボード下地、又は、梁の躯体の外側の任意位置に設置された取り付け座に前記間接照明具の固定部が固定され、
前記固定部の外側に室内壁が設置された、
ことを特徴とする間接照明具の取付け構造。
【請求項９】
請求項８記載の間接照明具の取付け構造において、
梁に二以上の間接照明具が設置され、
前記二以上の間接照明具の支持具同士が対向する部分に、両者の隙間を塞ぐ補助板が設けられた、
ことを特徴とする間接照明具の取付け構造。
【発明の詳細な説明】
【技術分野】
【０００１】
本発明は、天井の中央部分が一段高くなっている、いわゆる折上げ天井用の間接照明具と、当該間接照明具の施工方法と、当該間接照明具の取付け構造に関するものである。
【背景技術】
【０００２】
住居をはじめとする建築物では、天井や壁面に光を反射させ、その反射光で周囲を照らす間接照明が用いられることがある（例えば、特許文献１及び２）。間接照明を用いることで、天井や壁面に奥行きが出て、室内を広く見せることができる。
【０００３】
折上げ天井の天井面の下方に突出する梁に間接照明具を設ける場合、図６に示すように、梁Ｘの下端側から水平方向に木製の支持台Ｙを突設し、その支持台Ｙに間接照明用の蛍光灯Ｚを配置していた。このときの支持台の突出寸法は２００〜３００ｍｍ程度である。
【先行技術文献】
【特許文献】
【０００４】
【特許文献１】特開２０１２−０４８９７５号公報
【特許文献２】特開２０１４−１４５１６４号公報
【発明の概要】
【発明が解決しようとする課題】
【０００５】
図６に示す支持台Ｙの水平方向の突出寸法は２００ｍｍ〜３００ｍｍ程度であるため、対向する双方の梁から支持台Ｙを突設させると、合計で４００ｍｍ〜６００ｍｍ程度突出するため、圧迫感を感じることがある。四方に張出した梁のすべてにこの支持台Ｙを設けると、圧迫感がさらに強くなる。圧迫感を抑えるため、支持台Ｙの先端部分を低くするなどの対策はしているが、依然として改善の余地が残されている。また、従来の支持台は非常に重く、一人で取り付けるのが困難であった。
【０００６】
本発明の解決課題は、梁からの突出寸法が小さくて圧迫感を与えにくく、従来の支持台よりも小型且つ軽量で、設置位置の自由度が高く、設置も容易な、折上げ天井用の間接照明具と、当該間接照明具の施工方法と、当該間接照明具の取付け構造を提供することにある。
【課題を解決するための手段】
【０００７】
［間接照明具］
本発明の間接照明具は、梁に設置して使用する折上げ天井用の間接照明具であって、梁に設置する支持台と、天井面又は／及び梁を照明する薄型の光源部を備えた照明装置を備え、支持台は、躯体の外側（室内側。本願において同じ）に配置されたボード下地（下地材）に固定される固定部と、前記照明装置の少なくとも光源部を載置可能な載置部を備え、当該光源部が前記天井面又は／及び梁を照明できるように前記載置部に載置されたものである。前記固定部は、ボード下地の代わりに別途用意した取付け座に固定することもできる。この場合、取付け座はボード下地同様、躯体の外側に設置される。支持台の前記載置部の外側には、当該載置部に載置された光源部の少なくとも外側の端部を被覆可能な目隠し部を設けることもできる。
【０００８】
前記間接照明具において、前記支持台をボード下地又は取り付け座に取り付けたときの当該支持台の水平方向の突出寸法は、前記梁の上端から支持台の載置部までの距離と、載置部から当該梁の下端までの距離の双方又はいずれか一方よりも短くすることができる。
【０００９】
前記間接照明具は、躯体の外側に配置可能な取り付け座を備え、支持台はその取り付け座に固定可能なものとすることもできる。光源部には、二以上のＬＥＤチップを備えたテープＬＥＤを用いることができる。
【００１０】
前記間接照明具は、載置部に、光源部に接続された電源供給手段を収容可能な収容部を備えたものとすることもできる。載置部には、薄型の光源部を載置する凸状の載置台又は凹陥状の載置溝を設けることもできる。載置台や載置溝は二本以上設けることもできる。載置台を設ける場合、光源部に接続された電源供給手段を収容可能な収容部を載置台の下側に設けることもできる。
【００１１】
［間接照明具の施工方法］
本発明の間接照明具の施工方法は、前記いずれかの間接照明具の施工方法であって、梁の躯体の外側に設けられたボード下地に前記間接照明具の固定部を固定し、又は、梁の躯体の外側の任意位置に取り付け座を設置して、当該取り付け座に前記間接照明具の固定部を固定し、当該固定部の外側に室内壁を設置する施工方法である。
【００１２】
［間接照明具の取付け構造］
本発明の間接照明具の取付け構造は、前記いずれかの間接照明具の梁への取付け構造であって、梁の躯体の外側に設けられたボード下地、又は、梁の躯体の外側の任意位置に設置された取り付け座に前記間接照明具の固定部が固定され、当該固定部の外側に室内壁が設置された構造である。
【００１３】
前記間接照明具の取付け構造において、梁に二以上の間接照明具が設置され、当該二以上の間接照明具の支持具同士が対向する部分に、両者の隙間を塞ぐ裏板（補助板）が設けられた構造とすることもできる。
【発明の効果】
【００１４】
［間接照明具］
本発明の間接照明具は、その構成に応じて次の効果を奏する。
（１）テープＬＥＤ等の薄型の光源部を用いているため、照明具全体が従来よりも薄型となり、部屋に設置したときに圧迫感を与えにくい。特に、支持台をボード下地又は取り付け座に取り付けたときの支持台の水平方向の突出寸法を、梁の上端から支持台の載置部までの距離と、載置部から当該梁の下端までの距離の双方又はいずれか一方よりも短くした場合には、この効果が大きい。
（２）躯体の外側に配置可能な取り付け座を備えたものとした場合、当該取り付け座を任意位置に取り付けることができ、間接照明具の設置位置の自由度が高い。
（３）載置部に光源部に接続された電源供給手段を収容可能な収容部を設けた場合、電源供給手段（例えば、電源コード）が光源部に被さって影が出るというような問題が生じない。
（４）載置部に、薄型の光源部を載置する凸状の載置台又は凹陥状の載置溝を設けた場合、光源部の設置位置が予め決まっているため、設置する職人の熟練度に関わらず、簡単に設置をすることができる。
（５）従来の支持台に比べて薄型且つ小型であるため、支持台が軽量であり、容易に取り付けることができる。
【００１５】
［間接照明具の施工方法］
本発明の間接照明具の施工方法は、その構成に応じて次の効果を奏する。
（１）予め構造体に備わっているボード下地を利用する場合、支持台を固定するための取り付け座を別途用意する必要がないため手間がかからない。
（２）躯体の外側に取り付け座を設置し、その取り付け座に間接照明具の固定部を固定する場合、支持台の設置位置（すなわち間接照明具の設置位置）を自由に決定することができる。
【００１６】
［間接照明具の取付け構造］
本発明の間接照明具の施工方法は、その構成に応じて次の効果を奏する。
（１）間接照明具の固定部が躯体と室内壁の間に挟み込まれる構造であるため、地震などによって間接照明具に外力がかかっても不用意に外れにくい。
（２）室内壁の外側に取り付ける構造の場合、室内壁に数ｍｍの傾きが生じていると、間接照明具と室内壁の間に隙間が生じて意図しない部分（当該隙間）から光が漏れてしまうことがあるが、支持台の固定部がボード下地や取り付け座に固定する構造であるため、室内壁に数ｍｍの傾きが生じていてもそのような問題は生じない。
（３）二以上の間接照明具の支持具同士が対向する部分に、両者の隙間を塞ぐ補助板が設けられた構造とすれば、両支持具間に隙間があっても室内から見上げたときに目立ちにくい。また、当該隙間から光が漏れるような問題も生じない。
【図面の簡単な説明】
【００１７】
【図１】本発明の間接照明具を設置した室内の様子を示す説明図。
【図２】本発明の間接照明具及びその取付け構造の一例を示す断面図。
【図３】（ａ）は本発明の間接照明具の設置位置の一例を示す概念図、（ｂ）は（ａ）のＰ部の拡大図。
【図４】（ａ）は本発明の間接照明具の他例を示すものであって、支持台の載置部に設置台座を設けた場合の断面図、（ｂ）は本発明の間接照明具の他例を示すものであって、支持台の載置部に設置凹部を設けた場合の断面図。
【図５】（ａ）は二つの間接照明具がコーナーに配置された場合の平面説明図、（ｂ）は二つの間接照明具が直線状に配置された場合の平面説明図、（ｃ）はコーナー部に配置された二つの支持台の隙間を塞ぐ補助板の一例を示す斜視図、（ｄ）は直線状に配置された二つの支持台の隙間を塞ぐ補助板の一例を示す斜視図。
【図６】従来の折上げ天井用の間接照明具の一例を示す断面図。
【発明を実施するための形態】
【００１８】
（間接照明具の実施形態）
本発明の間接照明具１の実施形態の一例を、図面を参照して説明する。本発明の間接照明具１は、図１に示すように、梁の垂直又は略垂直な面（本願において「梁垂直面」という）ａ１に設置して使用する折上げ天井用の照明具である。図１は、本発明の間接照明具１を設置した室内の一例を示すものである。図１の室内には、正面の梁Ａ１及び左右の梁Ａ２、Ａ３の三面に間接照明具１が取り付けられている。この実施形態の梁Ａ及び天井Ｂは、図２に示すように、躯体（コンクリート躯体）Ｃの外側にボード下地（この実施形態では、鋼製の下地材）Ｄが設けられ、その外側に室内壁（この実施形態では、石膏ボード）Ｅを備えた二層構造のものである。なお、以下では、間接照明具１を梁垂直面ａ１に設置する場合を一例として説明するが、間接照明具１は梁の水平若しくは略水平な面（本願において「梁水平面」という）ａ２に設けることもできる。
【００１９】
一例として図１及び図２に示す間接照明具１は、梁垂直面ａ１に設置する支持台３と照明装置２を備えている。この実施形態の支持台３は側面視上向きコ字状の樋状部材であり、梁Ａの躯体Ｃの外側に配置されたボード下地Ｄ又は躯体Ｃの外側に設置可能な取り付け座４に固定される固定部３ａと、照明装置２の少なくとも光源部２ａを載置可能な載置部３ｂと、当該載置部３ｂに載置された光源部２ａの端部を被覆する目隠し部を３ｃ備えている。目隠し部３ｃの高さは、図３（ａ）のように室内から間接照明具１を見上げた際に、当該間接照明具１の光源部２ａが見えない高さ、具体的には、載置部３ｂに載置された光源部２ａの上面と同じ又はそれよりも若干高くなるようにしてある。目隠し部３ｃは省略することもできる。前述の支持台３の形状は一例であり、これ以外の形状とすることもできる。例えば、水平な載置部３ｂに対して固定部３ａを下向きにし、目隠し部３ｃを上向きにした形状等とすることもできる。
【００２０】
一例として図２に示す支持台３は、アルミ材を押出成形することによって製造したものであり、その寸法は、厚さ２．５ｍｍ、固定部３ａの高さ５０ｍｍ、載置部３ｂの長さ９７．５ｍｍ、目隠し部３ｃの高さ１５ｍｍ程度としてある。支持台３の長さは、５００ｍｍ、１０００ｍｍ、２０００ｍｍなど、設置場所に応じた適宜の長さとすればよい。この値は一例であり、これ以外の寸法とすることもできる。
【００２１】
支持台３の突出寸法Ｌ（図３（ｂ））、具体的には、支持台３をボード下地Ｄ又は後述する取り付け座４に取り付けたときの当該支持台３の水平方向の突出寸法Ｌは、梁垂直面ａ１の上端から支持台３の載置部３ｂの底面までの距離Ｈ１及び載置部３ｂの底面から当該梁垂直面ａ１の下端までの距離Ｈ２の双方又はいずれか一方よりも短くするのが好ましい。
【００２２】
図３（ｂ）に示すように、この実施形態では、支持台３の水平方向の突出寸法Ｌを、梁垂直面ａ１の上端から支持台３の載置部３ｂの底面までの距離Ｈ１よりも短く（Ｌ＜Ｈ１）、載置部３ｂの底面から当該梁垂直面ａ１の下端までの距離Ｈ２よりも長く（Ｌ＞Ｈ２）してあるが、これとは逆に、梁垂直面ａ１の上端から支持台３の載置部３ｂの底面までの距離Ｈ１よりも長く（Ｌ＞Ｈ１）、載置部３ｂの底面から当該梁垂直面ａ１の下端までの距離Ｈ２よりも短く（Ｌ＜Ｈ２）することもできる。場合によっては、双方の距離Ｈ１、Ｈ２よりも短く（Ｌ＜Ｈ１かつＬ＜Ｈ２）することもできる。
【００２３】
前記照明装置２は、光源部２ａと当該光源部２ａに電源を供給する電源供給手段２ｂ（図４（ａ）参照）を備えている。この実施形態では、光源部２ａとしてフレキシブル基板に複数のＬＥＤチップが実装されたテープＬＥＤを、電源供給手段２ｂとしてＡＣ／ＤＣアダプタ（図示しない）を備えた電源コードを用いている。テープＬＥＤの基板には前記電源コードが電気的に接続されており、ＡＣ／ＤＣアダプタを介して商用電源（交流電源）から変換された直流電源が光源部２ａに供給されるようにしてある。なお、光源部２ａは薄型であれば、テープＬＥＤ以外であってもよい。ここでいう薄型とは、目安として、１０ｍｍ以下、好ましくは５ｍｍ以下、さらに好ましくは３ｍｍ以下程度のことをいう。ただし、ここで挙げた数値は一例であり、これ以外のものを排除するものではない。図３に示す例では、光源部２ａをアルミ製の放熱ケース（例えば、アルミケース）１１に収容してあるが、放熱ケース１１はアルミ製以外であってもよい。光源部２ａは、放熱ケース１１に収容することなく、直接載置部３ｂに載置することもできる。
【００２４】
この実施形態では、光源部２ａを載置部３ｂの目隠し部３ｃ側に寄せて配置することで固定部３ａ寄りの部分に空間を残しておき、その空間を光源部２ａに接続された電源供給手段２ｂを収容する収容部５として利用できるようにしてある。このように、光源部２ａを目隠し部３ｃ側に寄せて設置することによって（すなわち、光源部２ａを梁垂直面ａ１から離して設置することによって）、天井面ｂのみならず梁垂直面ａ１にも光を照射することができる。光源部２ａは角度をつけて設けることもでき、例えば、光源部２ａを梁垂直面ａ１側に若干傾けて設置すると、梁垂直面ａ１に反射した光と天井面ｂに反射した光によって奥行き感が生まれるという効果がある。なお、電源供給手段２ｂは、収容部５に収容するほか、躯体Ｃと室内壁Ｅの間の空間に収容することもできる。
【００２５】
図２に示す間接照明具１は一例であり、これ以外の構造とすることもできる。例えば、図４（ａ）に示すように、載置部３ｂに光源部２ａの設置位置を特定する設置台座６を設けておくこともできる。図４（ａ）の設置台座６は、載置部３ｂの上面に立設する脚６ａと、当該脚６ａの上に設けられた受け皿状の載せ部６ｂを備えている。脚６ａの外側であって載せ部６ｂの下方、及び脚６ａの内側であって光源部２ａの下方には空間を設けてあり、その空間を光源部２ａに接続された電源供給手段２ｂを収容するための収容部５として利用できるようにしてある。図４（ａ）の例では、載置部３ｂの固定部３ａ側にも空間が残してあるため、こちらも収容部５として利用することができる。載置台座６は、放熱ケース１１としての機能を果たすようにすることもできる。なお、図４（ａ）では、設置台座６を三条設けているが、設置台座６は二条以下でも四条以上でもよい。
【００２６】
光源部２ａの設置位置を予め特定しておきたい場合には、図４（ａ）のような設置台座６を設ける代わりに、凹陥状の設置凹部７を設けることもできる。具体的には、図４（ｂ）に示すように、載置部３ｂの上面に凹陥状の溝８ａを備えたプレート８を設置し、当該プレート８の溝８ａを、光源部２ａを設置するための設置凹部７とすることができる。プレート７は、放熱ケース１１としての機能を果たすようにすることもできる。プレート８を設置する代わりに、載置部３ｂ自体を分厚くし、その載置部３ｂに凹陥状の設置凹部７を設けることもできる。いずれの場合も、図４（ａ）のように、載置部３ｂの固定部３ａ側に空間を残しておき、当該空間を収容部５として利用できるようにしてもよい。なお、図４（ｂ）では、設置凹部７を三条設けているが、設置凹部７は二条以下でも四条以上でもよい。
【００２７】
この実施形態では、間接照明具１の支持台３を梁Ａの躯体Ｃの外側のボード下地Ｄに固定する場合を一例としているが、間接照明具１を躯体Ｃの外側に配置可能な取り付け座４を備えたものとし、この取り付け座４を躯体Ｃの外側に取り付け、その取り付け座４に支持台３を固定するようにしてもよい。取り付け座４には、例えば、既存のチャンネル鋼等を用いることができる。
【００２８】
本発明の間接照明具１は、図５（ａ）（ｂ）のように、梁垂直面ａ１に沿って二以上設けることもできる。また、二つの梁Ａが交わるコーナー部分に取り付ける支持台３は、図５（ａ）のように長手方向の端部を斜めに（図５（ａ）の例では４５°）にカットしておき、一方の梁Ａに設置した支持台３と他方の梁Ａに設置した支持台３のカット部分が対向するようにしておくこともできる。
【００２９】
間接照明具１の支持台３や取り付け座４、後述する補助板９、１０等は、アルミなどの材料を曲げ加工や押出し加工することによって製造することもできる。押出し加工によって製造することで、成形品にダレが発生しないというメリットがある。これらの部材は、曲げ加工や押し出し加工以外の方法で製造することもできる。また、これらの部材は、樹脂や鉄、ステンレスといったアルミ以外の材料で製造することもできる。なお、この実施形態では、支持台３、取り付け座４、及び補助板９、１０の外周に、アクリル樹脂を焼付塗装して仕上げている。
【００３０】
（間接照明具の施工方法の実施形態）
本発明の間接照明具の施工方法の実施形態の一例を、図面を参照して説明する。本発明の間接照明具の施工方法は、前記間接照明具１を梁垂直面ａ１に設置する方法であって、躯体Ｃの外側に設けられたボード下地Ｄに前記間接照明具１の固定部３ａを固定し、当該固定部３ａの外側に室内壁Ｅを設置する施工方法である。
【００３１】
この実施形態では、ボード下地Ｄに支持台３の固定部３ａを宛がい、当該固定部３ａの外側からネジをねじ込んで固定部３ａをボード下地Ｄに固定する。支持台３を固定した後、当該固定部３ａの外側に室内壁Ｅを設置する。このとき、支持台３が固定された部分は、固定部３ａの外側に室内壁Ｅを設置し、当該固定部３ａが外部に露出しないようにする。室内壁Ｅは、天井面ｂのボード下地Ｄの外側（図２の下側）や、梁Ａのボード下地Ｄの外側（図２の下側）にも設置する。なお、室内壁Ｅは、その外側からネジをねじ込んでボード下地Ｄ等に固定することによって設置することができる。設置した室内壁Ｅにはクロス（壁紙）を貼って仕上げを行う。
【００３２】
光源部２ａは、支持台３を梁Ａに設置した後に載置することも、設置する前に載置することもできる。いずれの場合も、光源部２ａに接続された電源供給手段２ｂは、収容部５や躯体Ｃと室内壁Ｅの間に収容することができる。
【００３３】
この実施形態では躯体Ｃの外側にボード下地Ｄが設けられている場合を一例としているが、ボード下地Ｄがない場合には、躯体Ｃに支持台３を直接固定したり、ボード下地Ｄに相当する取付け座４を躯体Ｃの外側に設置し、当該取付け座４に支持台３を固定したりすることもできる。固定には、既存のコンクリートビス等を用いることができる。また、ボード下地Ｄはあるが、それとは異なる任意位置に設置したい場合には、躯体Ｃの外側の任意位置に取り付け座４を設置し、その取り付け座４に支持台３を固定することができる。
【００３４】
（間接照明具の取付け構造の実施形態）
本発明の間接照明具の取付け構造の実施形態の一例を、図面を参照して説明する。本発明の間接照明具の取付け構造は、前記間接照明具１の梁垂直面ａ１への取付け構造であって、躯体Ｃの外側に設けられたボード下地Ｄに前記間接照明具１の支持台３の固定部３ａが固定され、当該固定部３ａの外側を含むボード下地Ｄの外側に室内壁Ｅが設置された構造である。室内壁Ｅの外面にはクロス（壁紙）が貼付されている。
【００３５】
前記実施形態は、支持台３がボード下地Ｄに固定された場合を一例としているが、本発明の間接照明具の取付け構造は、躯体Ｃの外側の任意位置に取り付け座４が設置され、当該取り付け座４に前記間接照明具１の固定部３ａが固定され、当該固定部３ａの外側に室内壁Ｅが設置された構造とすることもできる。
【００３６】
前記間接照明具の取付け構造において、梁垂直面ａ１に二以上の間接照明具１が長手方向に連続して設置されている場合には、当該二以上の間接照明具１の支持台３同士が対向する部分（端面）の上側に、両者の隙間を塞ぐ補助板９、１０が設けられた構造とすることもできる。例えば、図５（ａ）のようなコーナーに用いる補助板９としては、図５（ｃ）に示すようなもの、図５（ｂ）のような直線部に用いる補助板１０としては、図５（ｄ）に示すようなものを用いることができる。
【００３７】
コーナーに用いる補助板９は、図５（ｃ）に示すように、支持台３の載置部３ｂに宛がわれる平面部９ａと、支持台３の目隠し部３ｃに宛がわれる立設部９ｂを備えている。この補助板９の平面部９ａは、梁Ａと梁Ａが交わる部分に収まる直角凸部９ｘと、隣接する支持台３の目隠し部３ｃ同士が交わる部分に宛がわれる直角凹部９ｙを備えており、この補助板９の立設部９ｂにも直角凹部９ｙと同じ角度の直角凹部９ｚが設けられている。
【００３８】
直線部に使用する補助板１０は、図５（ｄ）に示すように、支持台３の載置部３ｂに宛がわれる平面部１０ａと、支持台３の目隠し部３ｃに宛がわれる立設部１０ｂを備えている。この補助板１０の平面部１０ａと立設部１０ｂはともに方形状の平板であり、コーナーに用いる補助板９のような直角凸部９ｘや直角凹部９ｙ、直角凹部９ｚは設けられていない。ここでは、支持台３同士の間の隙間を補助板９、１０で覆う（見えなくする）場合を一例としているが、隙間を覆うことができれば、補助板１０以外のもの（例えば、コーキング材）等を用いることもできる。
【産業上の利用可能性】
【００３９】
本発明の間接照明具１、間接照明具の施工方法、及び間接照明具の取付け構造は、折上げ天井用の間接照明具、間接照明具の施工方法、及び間接照明具の取付け構造として、特に好適に用いることができる。
【符号の説明】
【００４０】
１      間接照明具
２      照明装置
２ａ    光源部
２ｂ    電源供給手段
３      支持台
３ａ    固定部
３ｂ    載置部
３ｃ    目隠し部
４      取り付け座
５      収容部
６      設置台座
６ａ    脚
６ｂ    載せ部
７      設置凹部
８      プレート
８ａ    溝
９      （コーナー部分に用いる）補助板
９ａ    平面部
９ｂ    立設部
９ｘ    （平面部の）直角凸部
９ｙ    （平面部の）直角凹部
９ｚ    （立設部の）直角凹部
１０    （直線部分に用いる）補助板
１０ａ  平面部
１０ｂ  立設部
１１    放熱ケース
Ａ      梁
ａ１    梁垂直面
ａ２    梁水平面
Ａ１    正面の梁
Ａ２    左側の梁
Ａ３    右側の梁
Ｂ      天井
ｂ      天井面
Ｃ      躯体
Ｄ      ボード下地
Ｅ      室内壁
Ｘ      梁
Ｙ      支持台
Ｚ      蛍光灯
【図１】
2020115491.tif 000003
【図２】
2020115491.tif 000004
【図３】
2020115491.tif 000005
【図４】
2020115491.tif 000006
【図５】
2020115491.tif 000007
【図６】
2020115491.tif 000008
【手続補正書】
【提出日】令和2年5月12日(2020.5.12)
【手続補正１】
【補正対象書類名】明細書
【補正対象項目名】全文
【補正方法】変更
【補正の内容】
【発明の詳細な説明】
【技術分野】
【０００１】  本発明は、天井の中央部分が一段高くなっている、いわゆる折上げ天井用の間接照明具用支持台と、間接照明具と、当該間接照明具の取付け構造に関する。
【背景技術】
【０００２】  住居をはじめとする建築物では、天井や壁面に光を反射させ、その反射光で周囲を照らす間接照明が用いられることがある（例えば、特許文献１及び２）。間接照明を用いることで、天井や壁面に奥行きが出て、室内を広く見せることができる。【０００３】  折上げ天井の天井面の下方に突出する梁に間接照明具を設ける場合、図６に示すように、梁Ｘの下端側から水平方向に木製の支持台Ｙを突設し、その支持台Ｙに間接照明用の蛍光灯Ｚを配置していた。このときの支持台の突出寸法は２００〜３００ｍｍ程度である。
【先行技術文献】
【特許文献】
【０００４】
【特許文献１】特開２０１２−０４８９７５号公報
【特許文献２】特開２０１４−１４５１６４号公報
【発明の概要】
【発明が解決しようとする課題】
【０００５】  図６に示す支持台Ｙの水平方向の突出寸法は２００ｍｍ〜３００ｍｍ程度であるため、対向する双方の梁から支持台Ｙを突設させると、合計で４００ｍｍ〜６００ｍｍ程度突出するため、圧迫感を感じることがある。四方に張出した梁のすべてにこの支持台Ｙを設けると、圧迫感がさらに強くなる。圧迫感を抑えるため、支持台Ｙの先端部分を低くするなどの対策はしているが、依然として改善の余地が残されている。また、従来の支持台は非常に重く、一人で取り付けるのが困難であった。【０００６】  本発明の解決課題は、従来の支持台よりも小型且つ軽量で、居住者に圧迫感を与えにくく、設置時の作業者の負担も少ない間接照明具用支持台と、当該間接照明具用支持台を用いた間接照明具と、当該間接照明具の取付け構造を提供することにある。
【課題を解決するための手段】
【０００７】 ［間接照明具用支持台］ 本発明の間接照明具用支持台は、天井面又は／及び梁垂直面を照明する光源部を設置することのできる支持台である。この間接照明具用支持台は、金属材料を曲げ加工又は押出加工することによって成形された薄板状の金属部材であり、前記間接照明具用支持台は室内壁の裏側のボード下地（下地材）又は取り付け座に固定される固定部と、当該固定部をボード下地又は取り付け座に固定したときに室内側（躯体の外側）に突出して梁垂直面又は室内壁に沿って配置される載置部を備えている。固定部は前記梁垂直面又は室内壁に沿って延材する縦向きの薄板であり、載置部は前記固定部の下部に連続して当該下部から横向きに突出し且つ当該固定部の長手方向に沿って延材する横向きの薄板である。固定部と載置部は断面視横向きＬ字状となるように連続している。載置部は少なくとも前記光源部を上向きに設置できる広さを備え、当該光源部からの照明光が天井面又は／及び梁に照射されるように上方側が開口している。【０００８】 前記間接照明具用支持台は、載置部に設置された光源部の側面を室内から見えないように隠す目隠し部を備えたものとすることもできる。目隠し部は載置部の先端側に連続して当該先端側から縦向きに突出し且つ当該載置部の長手方向に沿って延材する縦向きの薄板であり、固定部と載置部と目隠し部は断面視上向きコ字状となるように連続するものとすることができる。【０００９】 前記間接照明具用支持台は、曲げ加工又は押出加工することによって成形された薄板状のアルミ製部材であって、当該間接照明具用支持台の表面にアクリル樹脂が焼付塗装されたものとすることもできる。【００１０】 前記間接照明具用支持台は、固定部をボード下地又は取り付け座に固定したときの載置部の水平方向の突出寸法が、梁垂直面の上端から載置部の底面までの距離及び載置部の底面から当該梁垂直面の下端までの距離の双方又はいずれか一方よりも短くなるようにすることもできる。前記間接照明具用支持台は金属材料を曲げ加工又は押出加工することによって成形された厚さ２．５ｍｍの金属部材で構成することもできる。【００１１】  ［間接照明具］  本発明の間接照明具は、天井面又は／及び梁垂直面を照明するものであって、前記いずれかの間接照明具用支持台の載置部に、当該載置部の長手方向に沿ってテープＬＥＤが設置されたものである。テープＬＥＤは照明光を天井面又は／及び梁に向けて照射できるように上向きに設置されている。【００１２】  ［間接照明具の取付け構造］  本発明の間接照明具の取付け構造は、前記間接照明具の取付け構造であって、間接照明具用支持台の載置部が水平又は略水平になるように、当該間接照明具用支持台の固定部がボード下地又は取り付け座に固定され、その固定部の室内側に室内壁が当該固定部を被覆して設置固定され、間接照明具用支持台の載置部、又は載置部と目隠し部が梁垂直面又は室内壁に沿って配置された構造である。【００１３】 前記間接照明具の取付け構造は、二以上の間接照明具用支持台の固定部がボード下地又は取り付け座に固定され、それら二以上の間接照明具用支持台が、隣接する間接照明具用支持台の載置部の端面同士、又は載置部と目隠し部の双方の端面同士が突���合うように、梁垂直面又は室内壁に沿って連続して同じ高さで配置され、それら二以上の間接照明具用支持台のうち、隣接する間接照明具用支持台の載置部が連続する箇所、又は載置部と目隠し部が連続する箇所に、両者間の隙間からの照明光の漏れを防止する補助板が当該隙間を塞いで設けられた構造とすることもできる。
【発明の効果】
【００１４】 ［間接照明具用支持台］ 本発明の間接照明具用支持台は、金属材料を曲げ加工又は押出加工することによって成形された薄板状の金属部材で構成されているため、石膏ボードや木の間接照明具用支持台に比べて軽量且つコンパクトであり、居住者に圧迫感を与えにくく、設置時の作業者の負担も少ない。【００１５】  ［間接照明具］  本発明の間接照明具は、本発明の間接照明具用支持台を用いているため、間接照明具用支持台と同様の効果を奏する。【００１６】  ［間接照明具の取付け構造］  本発明の間接照明具の取付け構造は、本発明の間接照明具を用いているため、間接照明具と同様の効果を奏する。
【図面の簡単な説明】
【００１７】
【図１】本発明の間接照明具を設置した室内の様子を示す説明図。
【図２】本発明の間接照明具及びその取付け構造の一例を示す断面図。
【図３】（ａ）は本発明の間接照明具の設置位置の一例を示す概念図、（ｂ）は（ａ）のＰ部の拡大図。
【図４】（ａ）は本発明の間接照明具の他例を示すものであって、支持台の載置部に設置台座を設けた場合の断面図、（ｂ）は本発明の間接照明具の他例を示すものであって、支持台の載置部に設置凹部を設けた場合の断面図。
【図５】（ａ）は二つの間接照明具がコーナーに配置された場合の平面説明図、（ｂ）は二つの間接照明具が直線状に配置された場合の平面説明図、（ｃ）はコーナー部に配置された二つの支持台の隙間を塞ぐ補助板の一例を示す斜視図、（ｄ）は直線状に配置された二つの支持台の隙間を塞ぐ補助板の一例を示す斜視図。
【図６】従来の折上げ天井用の間接照明具の一例を示す断面図。
【発明を実施するための形態】
【００１８】  （間接照明具用支持台と間接照明具の実施形態）  本発明の間接照明具用支持台（以下、単に「支持台」という）３と間接照明具１の実施形態の一例を、図面を参照して説明する。本発明の間接照明具１は、図１に示すように、梁の垂直又は略垂直な面（本願において「梁垂直面」という）ａ１に設置して使用する折上げ天井用の照明具である。図１は、本発明の間接照明具１を設置した室内の一例を示すものである。図１の室内には、正面の梁Ａ１及び左右の梁Ａ２、Ａ３の三面に間接照明具１が取り付けられている。この実施形態の梁Ａ及び天井Ｂは、図２に示すように、躯体（コンクリート躯体）Ｃの外側にボード下地（この実施形態では、鋼製の下地材）Ｄが設けられ、その外側に室内壁（この実施形態では、石膏ボード）Ｅを備えた二層構造のものである。なお、以下では、間接照明具１を梁垂直面ａ１に設置する場合を一例として説明するが、間接照明具１は梁の水平若しくは略水平な面（本願において「梁水平面」という）ａ２に設けることもできる。
【００１９】  一例として図１及び図２に示す間接照明具１は、梁垂直面ａ１に設置する支持台３と照明装置２を備えている。この実施形態の支持台３は側面視上向きコ字状の樋状部材であり、梁Ａの躯体Ｃの外側に配置されたボード下地Ｄ又は躯体Ｃの外側に設置可能な取り付け座４に固定される固定部３ａと、照明装置２の少なくとも光源部２ａを載置可能な載置部３ｂと、当該載置部３ｂに載置された光源部２ａの端部を被覆する目隠し部を３ｃ備えている。目隠し部３ｃの高さは、図３（ａ）のように室内から間接照明具１を見上げた際に、当該間接照明具１の光源部２ａが見えない高さ、具体的には、載置部３ｂに載置された光源部２ａの上面と同じ又はそれよりも若干高くなるようにしてある。目隠し部３ｃは省略することもできる。前述の支持台３の形状は一例であり、これ以外の形状とすることもできる。例えば、水平な載置部３ｂに対して固定部３ａを下向きにし、目隠し部３ｃを上向きにした形状等とすることもできる。
【００２０】  一例として図２に示す支持台３は、アルミ材を押出成形することによって製造したものであり、その寸法は、厚さ２．５ｍｍ、固定部３ａの高さ５０ｍｍ、載置部３ｂの長さ９７．５ｍｍ、目隠し部３ｃの高さ１５ｍｍ程度としてある。支持台３の長さは、５００ｍｍ、１０００ｍｍ、２０００ｍｍなど、設置場所に応じた適宜の長さとすればよい。この値は一例であり、これ以外の寸法とすることもできる。
【００２１】  支持台３の突出寸法Ｌ（図３（ｂ））、具体的には、支持台３をボード下地Ｄ又は後述する取り付け座４に取り付けたときの当該支持台３の水平方向の突出寸法Ｌは、梁垂直面ａ１の上端から支持台３の載置部３ｂの底面までの距離Ｈ１及び載置部３ｂの底面から当該梁垂直面ａ１の下端までの距離Ｈ２の双方又はいずれか一方よりも短くするのが好ましい。
【００２２】  図３（ｂ）に示すように、この実施形態では、支持台３の水平方向の突出寸法Ｌを、梁垂直面ａ１の上端から支持台３の載置部３ｂの底面までの距離Ｈ１よりも短く（Ｌ＜Ｈ１）、載置部３ｂの底面から当該梁垂直面ａ１の下端までの距離Ｈ２よりも長く（Ｌ＞Ｈ２）してあるが、これとは逆に、梁垂直面ａ１の上端から支持台３の載置部３ｂの底面までの距離Ｈ１よりも長く（Ｌ＞Ｈ１）、載置部３ｂの底面から当該梁垂直面ａ１の下端までの距離Ｈ２よりも短く（Ｌ＜Ｈ２）することもできる。場合によっては、双方の距離Ｈ１、Ｈ２よりも短く（Ｌ＜Ｈ１かつＬ＜Ｈ２）することもできる。
【００２３】  前記照明装置２は、光源部２ａと当該光源部２ａに電源を供給する電源供給手段２ｂ（図４（ａ）参照）を備えている。この実施形態では、光源部２ａとしてフレキシブル基板に複数のＬＥＤチップが実装されたテープＬＥＤを、電源供給手段２ｂとしてＡＣ／ＤＣアダプタ（図示しない）を備えた電源コードを用いている。テープＬＥＤの基板には前記電源コードが電気的に接続されており、ＡＣ／ＤＣアダプタを介して商用電源（交流電源）から変換された直流電源が光源部２ａに供給されるようにしてある。なお、光源部２ａは薄型であれば、テープＬＥＤ以外であってもよい。ここでいう薄型とは、目安として、１０ｍｍ以下、好ましくは５ｍｍ以下、さらに好ましくは３ｍｍ以下程度のことをいう。ただし、ここで挙げた数値は一例であり、これ以外のものを排除するものではない。図３に示す例では、光源部２ａをアルミ製の放熱ケース（例えば、アルミケース）１１に収容してあるが、放熱ケース１１はアルミ製以外であってもよい。光源部２ａは、放熱ケース１１に収容することなく、直接載置部３ｂに載置することもできる。
【００２４】  この実施形態では、光源部２ａを載置部３ｂの目隠し部３ｃ側に寄せて配置することで固定部３ａ寄りの部分に空間を残しておき、その空間を光源部２ａに接続された電源供給手段２ｂを収容する収容部５として利用できるようにしてある。このように、光源部２ａを目隠し部３ｃ側に寄せて設置することによって（すなわち、光源部２ａを梁垂直面ａ１から離して設置することによって）、天井面ｂのみならず梁垂直面ａ１にも光を照射することができる。光源部２ａは角度をつけて設けることもでき、例えば、光源部２ａを梁垂直面ａ１側に若干傾けて設置すると、梁垂直面ａ１に反射した光と天井面ｂに反射した光によって奥行き感が生まれるという効果がある。なお、電源供給手段２ｂは、収容部５に収容するほか、躯体Ｃと室内壁Ｅの間の空間に収容することもできる。
【００２５】  図２に示す間接照明具１は一例であり、これ以外の構造とすることもできる。例えば、図４（ａ）に示すように、載置部３ｂに光源部２ａの設置位置を特定する設置台座６を設けておくこともできる。図４（ａ）の設置台座６は、載置部３ｂの上面に立設する脚６ａと、当該脚６ａの上に設けられた受け皿状の載せ部６ｂを備えている。脚６ａの外側であって載せ部６ｂの下方、及び脚６ａの内側であって光源部２ａの下方には空間を設けてあり、その空間を光源部２ａに接続された電源供給手段２ｂを収容するための収容部５として利用できるようにしてある。図４（ａ）の例では、載置部３ｂの固定部３ａ側にも空間が残してあるため、こちらも収容部５として利用することができる。載置台座６は、放熱ケース１１としての機能を果たすようにすることもできる。なお、図４（ａ）では、設置台座６を三条設けているが、設置台座６は二条以下でも四条以上でもよい。
【００２６】  光源部２ａの設置位置を予め特定しておきたい場合には、図４（ａ）のような設置台座６を設ける代わりに、凹陥状の設置凹部７を設けることもできる。具体的には、図４（ｂ）に示すように、載置部３ｂの上面に凹陥状の溝８ａを備えたプレート８を設置し、当該プレート８の溝８ａを、光源部２ａを設置するための設置凹部７とすることができる。プレート７は、放熱ケース１１としての機能を果たすようにすることもできる。プレート８を設置する代わりに、載置部３ｂ自体を分厚くし、その載置部３ｂに凹陥状の設置凹部７を設けることもできる。いずれの場合も、図４（ａ）のように、載置部３ｂの固定部３ａ側に空間を残しておき、当該空間を収容部５として利用できるようにしてもよい。なお、図４（ｂ）では、設置凹部７を三条設けているが、設置凹部７は二条以下でも四条以上でもよい。
【００２７】  この実施形態では、間接照明具１の支持台３を梁Ａの躯体Ｃの外側のボード下地Ｄに固定する場合を一例としているが、間接照明具１を躯体Ｃの外側に配置可能な取り付け座４を備えたものとし、この取り付け座４を躯体Ｃの外側に取り付け、その取り付け座４に支持台３を固定するようにしてもよい。取り付け座４には、例えば、既存のチャンネル鋼等を用いることができる。
【００２８】  本発明の間接照明具１は、図５（ａ）（ｂ）のように、梁垂直面ａ１に沿って二以上設けることもできる。また、二つの梁Ａが交わるコーナー部分に取り付ける支持台３は、図５（ａ）のように長手方向の端部を斜めに（図５（ａ）の例では４５°）にカットしておき、一方の梁Ａに設置した支持台３と他方の梁Ａに設置した支持台３のカット部分が対向するようにしておくこともできる。
【００２９】  間接照明具１の支持台３や取り付け座４、後述する補助板９、１０等は、アルミなどの材料を曲げ加工や押出し加工することによって製造することもできる。押出し加工によって製造することで、成形品にダレが発生しないというメリットがある。これらの部材は、曲げ加工や押し出し加工以外の方法で製造することもできる。また、これらの部材は、樹脂や鉄、ステンレスといったアルミ以外の材料で製造することもできる。なお、この実施形態では、支持台３、取り付け座４、及び補助板９、１０の外周に、アクリル樹脂を焼付塗装して仕上げている。
【００３０】  （間接照明具の施工方法の参考例）  本願における間接照明具の施工方法の参考例を、図面を参照して説明する。本願における間接照明具の施工方法は、前記間接照明具１を梁垂直面ａ１に設置する方法であって、躯体Ｃの外側に設けられたボード下地Ｄに前記間接照明具１の固定部３ａを固定し、当該固定部３ａの外側に室内壁Ｅを設置する施工方法である。
【００３１】  この参考例では、ボード下地Ｄに支持台３の固定部３ａを宛がい、当該固定部３ａの外側からネジをねじ込んで固定部３ａをボード下地Ｄに固定する。支持台３を固定した後、当該固定部３ａの外側に室内壁Ｅを設置する。このとき、支持台３が固定された部分は、固定部３ａの外側に室内壁Ｅを設置し、当該固定部３ａが外部に露出しないようにする。室内壁Ｅは、天井面ｂのボード下地Ｄの外側（図２の下側）や、梁Ａのボード下地Ｄの外側（図２の下側）にも設置する。なお、室内壁Ｅは、その外側からネジをねじ込んでボード下地Ｄ等に固定することによって設置することができる。設置した室内壁Ｅにはクロス（壁紙）を貼って仕上げを行う。
【００３２】  光源部２ａは、支持台３を梁Ａに設置した後に載置することも、設置する前に載置することもできる。いずれの場合も、光源部２ａに接続された電源供給手段２ｂは、収容部５や躯体Ｃと室内壁Ｅの間に収容することができる。
【００３３】  この参考例では躯体Ｃの外側にボード下地Ｄが設けられている場合を一例としているが、ボード下地Ｄがない場合には、躯体Ｃに支持台３を直接固定したり、ボード下地Ｄに相当する取付け座４を躯体Ｃの外側に設置し、当該取付け座４に支持台３を固定したりすることもできる。固定には、既存のコンクリートビス等を用いることができる。また、ボード下地Ｄはあるが、それとは異なる任意位置に設置したい場合には、躯体Ｃの外側の任意位置に取り付け座４を設置し、その取り付け座４に支持台３を固定することができる。
【００３４】  （間接照明具の取付け構造の実施形態）  本発明の間接照明具の取付け構造の実施形態の一例を、図面を参照して説明する。本発明の間接照明具の取付け構造は、前記間接照明具１の梁垂直面ａ１への取付け構造であって、躯体Ｃの外側に設けられたボード下地Ｄに前記間接照明具１の支持台３の固定部３ａが固定され、当該固定部３ａの外側を含むボード下地Ｄの外側に室内壁Ｅが設置された構造である。室内壁Ｅの外面にはクロス（壁紙）が貼付されている。
【００３５】  前記実施形態は、支持台３がボード下地Ｄに固定された場合を一例としているが、本発明の間接照明具の取付け構造は、躯体Ｃの外側の任意位置に取り付け座４が設置され、当該取り付け座４に前記間接照明具１の固定部３ａが固定され、当該固定部３ａの外側に室内壁Ｅが設置された構造とすることもできる。
【００３６】  前記間接照明具の取付け構造において、梁垂直面ａ１に二以上の間接照明具１が長手方向に連続して設置されている場合には、当該二以上の間接照明具１の支持台３同士が対向する部分（端面）の上側に、両者の隙間を塞ぐ補助板９、１０が設けられた構造とすることもできる。例えば、図５（ａ）のようなコーナーに用いる補助板９としては、図５（ｃ）に示すようなもの、図５（ｂ）のような直線部に用いる補助板１０としては、図５（ｄ）に示すようなものを用いることができる。
【００３７】  コーナーに用いる補助板９は、図５（ｃ）に示すように、支持台３の載置部３ｂに宛がわれる平面部９ａと、支持台３の目隠し部３ｃに宛がわれる立設部９ｂを備えている。この補助板９の平面部９ａは、梁Ａと梁Ａが交わる部分に収まる直角凸部９ｘと、隣接する支持台３の目隠し部３ｃ同士が交わる部分に宛がわれる直角凹部９ｙを備えており、この補助板９の立設部９ｂにも直角凹部９ｙと同じ角度の直角凹部９ｚが設けられている。
【００３８】  直線部に使用する補助板１０は、図５（ｄ）に示すように、支持台３の載置部３ｂに宛がわれる平面部１０ａと、支持台３の目隠し部３ｃに宛がわれる立設部１０ｂを備えている。この補助板１０の平面部１０ａと立設部１０ｂはともに方形状の平板であり、コーナーに用いる補助板９のような直角凸部９ｘや直角凹部９ｙ、直角凹部９ｚは設けられていない。ここでは、支持台３同士の間の隙間を補助板９、１０で覆う（見えなくする）場合を一例としているが、隙間を覆うことができれば、補助板１０以外のもの（例えば、コーキング材）等を用いることもできる。
【産業上の利用可能性】
【００３９】  本発明の間接照明具１、支持台３及び間接照明具の取付け構造は、折上げ天井用の間接照明具、その支持台及び間接照明具の取付け構造として、特に好適に用いることができる。
【符号の説明】
【００４０】  １      間接照明具  ２      照明装置  ２ａ    光源部  ２ｂ    電源供給手段  ３      間接照明具用支持台（支持台）  ３ａ    固定部  ３ｂ    載置部  ３ｃ    目隠し部  ４      取り付け座  ５      収容部  ６      設置台座  ６ａ    脚  ６ｂ    載せ部  ７      設置凹部  ８      プレート  ８ａ    溝  ９      （コーナー部分に用いる）補助板  ９ａ    平面部  ９ｂ    立設部  ９ｘ    （平面部の）直角凸部  ９ｙ    （平面部の）直角凹部  ９ｚ    （立設部の）直角凹部  １０    （直線部分に用いる）補助板  １０ａ  平面部  １０ｂ  立設部  １１    放熱ケース  Ａ      梁  ａ１    梁垂直面  ａ２    梁水平面  Ａ１    正面の梁  Ａ２    左側の梁  Ａ３    右側の梁  Ｂ      天井  ｂ      天井面  Ｃ      躯体  Ｄ      ボード下地  Ｅ      室内壁  Ｘ      梁  Ｙ      支持台  Ｚ      蛍光灯
【手続補正２】
【補正対象書類名】特許請求の範囲
【補正対象項目名】全文
【補正方法】変更
【補正の内容】
【特許請求の範囲】
【請求項１】
天井面又は／及び梁垂直面を照明する光源部を設置することのできる間接照明具用支持台において、 前記間接照明具用支持台は、金属材料を曲げ加工又は押出加工することによって成形された薄板状の金属部材であり、 前記間接照明具用支持台は室内壁の裏側のボード下地又は取り付け座に固定される固定部と、当該固定部をボード下地又は取り付け座に固定したときに室内側に突出して梁垂直面又は室内壁に沿って配置される載置部を備え、 前記固定部は前記梁垂直面又は室内壁に沿って延材する縦向きの薄板であり、 前記載置部は前記固定部の下部に連続して当該下部から横向きに突出し且つ当該固定部の長手方向に沿って延材する横向きの薄板であり、 前記固定部と載置部は断面視横向きＬ字状となるように連続しており、 前記載置部は少なくとも前記光源部を上向きに設置できる広さを備え、当該光源部からの照明光が天井面又は／及び梁に照射されるように上方側が開口している、 ことを特徴とする間接照明具用支持台。
【請求項２】
請求項１記載の間接照明具用支持台において、 載置部に設置された光源部の側面を室内から見えないように隠す目隠し部を備え、 前記目隠し部は載置部の先端側に連続して当該先端側から縦向きに突出し且つ当該載置部の長手方向に沿って延材する縦向きの薄板であり、 固定部と載置部と目隠し部は断面視上向きコ字状となるように連続している、 ことを特徴とする間接照明具用支持台。
【請求項３】
請求項１又は請求項２記載の間接照明具用支持台において、 前記間接照明具用支持台は曲げ加工又は押出加工することによって成形された薄板状のアルミ製部材であり、当該間接照明具用支持台の表面にアクリル樹脂が焼付塗装されている、 ことを特徴とする間接照明具用支持台。
【請求項４】
請求項１から請求項３のいずれか１項に記載の間接照明具用支持台において、 固定部をボード下地又は取り付け座に固定したときの載置部の水平方向の突出寸法が、梁垂直面の上端から載置部の底面までの距離及び載置部の底面から当該梁垂直面の下端までの距離の双方又はいずれか一方よりも短い、 ことを特徴とする間接照明具用支持台。
【請求項５】
請求項１から請求項４のいずれか１項に記載の間接照明具用支持台において、 間接照明具用支持台は金属材料を曲げ加工又は押出加工することによって成形された厚さ数ｍｍの金属部材である、 ことを特徴とする間接照明具用支持台。
【請求項６】
天井面又は／及び梁垂直面を照明する間接照明具において、 請求項１から請求項５のいずれか１項に記載の間接照明具用支持台の載置部に、当該載置部の長手方向に沿ってテープＬＥＤが設置され、 前記テープＬＥＤは照明光を天井面又は／及び梁に向けて照射できるように上向きに設置されている、 ことを特徴とする間接照明具。
【請求項７】
間接照明具の取付け構造において、 前記間接照明具は請求項６記載の間接照明具であり、 前記間接照明具の間接照明具用支持台の載置部が水平又は略水平になるように、当該間接照明具用支持台の固定部がボード下地又は取り付け座に固定され、 前記固定部の室内側に、室内壁が当該固定部を被覆して設置固定され、 前記間接照明具用支持台の載置部、又は載置部と目隠し部が梁垂直面又は室内壁に沿って配置された、 ことを特徴とする間接照明具の取付け構造。
【請求項８】
請求項７記載の間接照明具の取付け構造において、 二以上の間接照明具用支持台の固定部がボード下地又は取り付け座に固定され、 前記二以上の間接照明具用支持台は、隣接する間接照明具用支持台の載置部の端面同士、又は載置部と目隠し部の双方の端面同士が突き合うように、梁垂直面又は室内壁に沿って連続して同じ高さで配置され、 前記二以上の間接照明具用支持台のうち、隣接する間接照明具用支持台の載置部が連続する箇所、又は載置部と目隠し部が連続する箇所に、両者間の隙間からの照明光の漏れを防止する補助板が当該隙間を塞いで設けられた、 ことを特徴とする間接照明具の取付け構造。